(57)【要約】【課題】工事現場で擁壁の基礎を形成するための作業時間を短縮できると共に、工事現場での作業性を向上できる基礎ブロック、それを用いた施工構造及びその施工方法を提案する。【解決手段】基礎地盤２５に下端面を載置する前面部１１と、前面部１１の上方縁部から延在し、かつコンクリートを投入できる第１開口部１４を設けた天面部１２と、天面部１２の後方縁部から基礎地盤２５に向かって延びる背面部１３と、からなり、前面部１１と天面部１２と背面部１３とで形成された空洞部１７を有する基礎ブロック１０である。そして、背面部１３の下方縁部に、空洞部１７に連通する第２開口部１５を設けた。【選択図】図１
2010024740.tif 000002
【特許請求の範囲】
【請求項１】
基礎地盤に下端面を載置する前面部と、前記前面部の上方縁部から延在し、かつコンクリートを投入できる第１開口部を設けた天面部と、前記天面部の後方縁部から前記基礎地盤に向かって延びる背面部と、からなり、前記前面部と前記天面部と前記背面部とで形成された空洞部を有する基礎ブロックであって、
前記背面部の下方縁部に、前記空洞部に連通する第２開口部を設けたことを特徴とする基礎ブロック。
【請求項２】
前記天面部は、前記前面部の上方縁部から水平に延びる上面と、前記上面に連続し、かつ、前記第１開口部を有するテーパ面と、前記テーパ面の後方縁部に沿って突設した位置決め用突条と、からなることを特徴とする請求項１に記載の基礎ブロック。
【請求項３】
前記背面部に、型枠用保持手段の一端部を螺合できる螺合手段を、埋設したことを特徴とする請求項１又は２に記載の基礎ブロック。
【請求項４】
基礎地盤と、
前記基礎地盤の上に載置された請求項１ないし３に記載の基礎ブロックと、
前記基礎ブロックの背面部に一端部を螺合して水平方向に延びる保持手段を介し、前記基礎ブロックから所定の間隔を隔てて、前記基礎ブロックと対向するように前記基礎地盤に設置された型枠と、
前記基礎ブロックの空洞部と、前記基礎ブロックの背面部に設けられた第２開口部と、前記基礎ブロックの背面部と前記型枠との間に充填され、表面が前記基礎ブロックのテーパ面と略平行に傾斜するように形成された第１コンクリート層と、
からなることを特徴とする施工構造。
【請求項５】
基礎地盤の上に、請求項１ないし３に記載の基礎ブロックを載置し、
前記基礎ブロックの背面部に一端部を螺合して水平方向に延びる保持手段を介し、前記基礎ブロックから所定の間隔を隔てて、前記基礎ブロックと対向するように前記基礎地盤に型枠を設置し、
前記基礎ブロックの第１開口部と、前記基礎地盤とに直接、コンクリートを打設し、
前記コンクリートが、前記第２開口部を介して、前記基礎ブロックの空洞部と、前記基礎ブロックの背面部と前記型枠の間とに一体に第１コンクリート層を形成し、
前記第１コンクリート層の表面を前記基礎ブロックのテーパ面と略平行に形成することを特徴とする施工方法。
【請求項６】
基礎地盤と、
前記基礎地盤の上に載置された請求項１ないし３に記載の基礎ブロックと、
前記基礎ブロックの背面部に一端部を螺合して水平方向に延びる保持手段を介し、前記基礎ブロックから所定の間隔を隔てて、前記基礎ブロックと対向するように前記基礎地盤に設置された型枠と、
前記基礎ブロックの空洞部と、前記基礎ブロックの背面部に設けられた第２開口部と、前記基礎ブロックの背面部と前記型枠との間に形成され、表面が水平に形成された前記第２開口部を貫通する第１コンクリート層と、
前記基礎ブロックの内部、かつ、前記第１コンクリート層の上面に形成された第２コンクリート層と、
前記基礎ブロックの上方に配置された積上ブロックの後方、かつ、前記第１コンクリート層の上面に形成された第２コンクリート層と、
からなることを特徴とする施工構造。
【請求項７】
基礎地盤の上に、請求項１ないし３に記載の基礎ブロックを載置し、
前記基礎ブロックの背面部に一端部を螺合して水平方向に延びる保持手段を介し、前記基礎ブロックから所定の間隔を隔てて、前記基礎ブロックと対向するように前記基礎地盤に型枠を設置し、
前記基礎ブロックの第１開口部と、前記基礎地盤とに直接、コンクリートを打設し、
前記コンクリートが、前記第２開口部を介して、前記基礎ブロックの空洞部と、前記基礎ブロックの背面部と前記型枠の間とに一体に第１コンクリート層を形成し、
前記第１コンクリート層の表面を水平、かつ、前記第２開口部を貫通するように形成し、
前記基礎ブロックの上方に配置された積上ブロックを介して、前記第１開口部から前記基礎ブロックの空洞部に生コンクリートを打設して前記第１コンクリート層の上面に第２コンクリート層を形成し、
前記基礎ブロックの上面に配置された積上ブロックの後部に生コンクリートを打設して前記第１コンクリート層の上面に第２コンクリート層を形成することを特徴とする施工方法。
【発明の詳細な説明】
【技術分野】
【０００１】
本発明は、例えば、宅地造成用擁壁の基礎工事に利用できる基礎ブロック、それを用いた施工構造及びその施工方法に関する。
【背景技術】
【０００２】
従来、工事現場では、地面等に基礎コンクリートを打設し、養生させて、擁壁の基礎として用いていた。
【０００３】
しかし、工事現場において基礎コンクリートを打設する場合には、天候等に左右されやすいと共に、現場における施工作業に時間を要するため、作業時間の短縮化が困難であるという問題があった。
【０００４】
そこで、例えば、特許文献１においては、敷設するだけで基礎地盤を形成できる基礎ブロックが提案されている。
【０００５】
しかし、前記基礎ブロックは、複数の部材を工事現場で組み立てる必要があり、組み立て工数が多いと共に、その組み立てに手間がかかり、作業性が低いという問題があった。
【特許文献１】特開２００６−２４９６７５号公報
【発明の開示】
【発明が解決しようとする課題】
【０００６】
本発明は、前記従来の問題点に鑑みてなされたもので、工事現場で擁壁の基礎を形成するための作業時間を短縮できると共に、工事現場での作業性を向上できる基礎ブロック、それを用いた施工構造及びその施工方法を提案することを課題とする。
【課題を解決するための手段】
【０００７】
前記課題を解決するための手段として、本発明に係る基礎ブロックは、基礎地盤に下端面を載置する前面部と、前記前面部の上方縁部から延在し、かつコンクリートを投入できる第１開口部を設けた天面部と、前記天面部の後方縁部から前記基礎地盤に向かって延びる背面部と、からなり、前記前面部と前記天面部と前記背面部とで形成された空洞部を有する基礎ブロックであって、前記背面部の下方縁部に、前記空洞部に連通する第２開口部を設けたものである。
【発明の効果】
【０００８】
本発明によれば、基礎ブロックを基礎工事に利用できるので、基礎を形成するためにコンクリートを打設する作業を簡略化でき、作業時間を短縮できる。また、基礎ブロックが前面部と、天面部と、背面部とから一体に構成されているので、組み立てが不要であり、工事現場での作業性を向上できる。
更に、基礎ブロックの背面部の下方縁部に、空洞部に連通する第２開口部を設けることで、基礎ブロックの空洞部内のコンクリートと、基礎ブロックの外側に打設されたコンクリートとが一体化する。これにより、第２開口部を介して空洞部内外のコンクリートを一体に固めて、強度を高めることができる。
【０００９】
本実施形態としては、前記天面部は、前記前面部の上方縁部から水平に延びる上面と、前記上面に連続し、かつ、前記第１開口部を有するテーパ面と、前記テーパ面の後方縁部に沿って突設した位置決め用突条と、からなることが好ましい。
本実施形態によれば、テーパ面上に載置する積上ブロックの後端を位置決め用突条に当接することにより、積上ブロックがテーパ面上でずれることなく、確実に位置決めして固定できる。
【００１０】
他の実施形態としては、前記背面部に、型枠用保持手段の一端部を螺合できる螺合手段を、埋設することが好ましい。
他の実施形態によれば、背面部に、型枠との間の距離を保持する保持手段の一端を螺合する螺合手段を埋設するので、保持手段の長さを調整することで、現場に合わせて型枠と基礎ブロックとの間の距離を正確、かつ、簡便に確保できる。これにより、施工性が向上すると共に、施工に熟練を必要としない基礎ブロックが得られる。
【００１１】
本発明に係る基礎ブロックを用いた施工構造は、基礎地盤と、前記基礎地盤の上に載置された請求項１ないし３に記載の基礎ブロックと、前記基礎ブロックの背面部に一端部を螺合して水平方向に延びる保持手段を介し、前記基礎ブロックから所定の間隔を隔てて、前記基礎ブロックと対向するように前記基礎地盤に設置された型枠と、前記基礎ブロックの空洞部と、前記基礎ブロックの背面部に設けられた第２開口部と、前記基礎ブロックの背面部と前記型枠との間に充填され、表面が前記基礎ブロックのテーパ面と略平行に傾斜するように形成された第１コンクリート層と、からなることが好ましい。
【００１２】
本発明によれば、基礎ブロックの背面部に第２開口部を設けることで、基礎ブロックの空洞部内のコンクリートと、基礎ブロックの外側に打設されたコンクリートとが一体化する。これにより、第２開口部を介して空洞部内外のコンクリートを一体に固めて、第１コンクリート層を形成するので、基礎と共に擁壁の強度を高めることができる。
【００１３】
基礎地盤の上に、請求項１ないし３に記載の基礎ブロックを載置し、前記基礎ブロックの背面部に一端部を螺合して水平方向に延びる保持手段を介し、前記基礎ブロックから所定の間隔を隔てて、前記基礎ブロックと対向するように前記基礎地盤に型枠を設置し、前記基礎ブロックの第１開口部と、前記基礎地盤とに直接、コンクリートを打設し、前記コンクリートが、前記第２開口部を介して、前記基礎ブロックの空洞部と、前記基礎ブロックの背面部と前記型枠の間とに一体に第１コンクリート層を形成し、前記第１コンクリート層の表面を前記基礎ブロックのテーパ面と略平行に形成することが好ましい。
【００１４】
本発明によれば、基礎ブロックを基礎工事に利用できるので、基礎を形成するためにコンクリートを打設する作業を簡略化でき、作業時間を短縮できる。
また、生コンクリートが基礎ブロックの空洞部内を充填して第１コンクリート層を形成するので、外部から、基礎ブロックの空洞部内に生コンクリートが充填されたことを確認できる。従って、欠陥のない、頑丈な基礎を作ることができる。
【００１５】
本発明に係る基礎ブロックを用いた他の施工構造は、基礎地盤と、前記基礎地盤の上に載置された請求項１ないし３に記載の基礎ブロックと、前記基礎ブロックの背面部に一端部を螺合して水平方向に延びる保持手段を介し、前記基礎ブロックから所定の間隔を隔てて、前記基礎ブロックと対向するように前記基礎地盤に設置された型枠と、前記基礎ブロックの空洞部と、前記基礎ブロックの背面部に設けられた第２開口部と、前記基礎ブロックの背面部と前記型枠との間に形成され、表面が水平に形成された前記第２開口部を貫通する第１コンクリート層と、前記基礎ブロックの内部、かつ、前記第１コンクリート層の上面に形成された第２コンクリート層と、前記基礎ブロックの上方に配置された積上ブロックの後方、かつ、前記第１コンクリート層の上面に形成された第２コンクリート層と、からなるものである。
【００１６】
本発明によれば、基礎ブロックの背面部に第２開口部を設けることで、基礎ブロックの空洞部内のコンクリートと、基礎ブロックの外側に打設されたコンクリートとが一体化する。これにより、第２開口部を介して空洞部内外のコンクリートを一体に固めて、基礎ブロックを正確、かつ、確実に位置決めできる。
【００１７】
本発明に係る基礎ブロックを用いた他の施工方法は、基礎地盤の上に、請求項１ないし３に記載の基礎ブロックを載置し、前記基礎ブロックの背面部に一端部を螺合して水平方向に延びる保持手段を介し、前記基礎ブロックから所定の間隔を隔てて、前記基礎ブロックと対向するように前記基礎地盤に型枠を設置し、前記基礎ブロックの第１開口部と、前記基礎地盤とに直接、コンクリートを打設し、前記コンクリートが、前記第２開口部を介して、前記基礎ブロックの空洞部と、前記基礎ブロックの背面部と前記型枠の間とに一体に第１コンクリート層を形成し、前記第１コンクリート層の表面を水平、かつ、前記第２開口部を貫通するように形成し、前記基礎ブロックの上方に配置された積上ブロックを介して、前記第１開口部から前記基礎ブロックの空洞部に生コンクリートを打設して前記第１コンクリート層の上面に第２コンクリート層を形成し、前記基礎ブロックの上面に配置された積上ブロックの後部に生コンクリートを打設して前記第１コンクリート層の上面に第２コンクリート層を形成することが好ましい。
【００１８】
本発明によれば、基礎ブロックを基礎工事に利用できるので、基礎を形成するためにコンクリートを打設する作業を簡略化でき、作業時間を短縮できる。
また、第２開口部を介し、基礎ブロックから型枠まで一体な第１コンクリート層を形成することにより、基礎ブロックを確実に固定できる。
更に、第１コンクリート層と第２コンクリート層とで基礎構造を形成するので、安全かつ正確な作業が可能になるという効果がある。
【発明を実施するための最良の形態】
【００１９】
以下、図１ないし図１２の添付図面を参照して、本発明の実施形態を詳細に説明する。
【００２０】
本発明の第１実施形態に係る基礎ブロック１０は、図１に示すように、例えば高さＬ１が６００ｍｍの垂直な前面部１１と、前面部１１の上方縁部から後方に延びた天面部１２と、天面部１２の後方縁部から鉛直下方に向かって延びる背面部１３と、から構成されている。前面部１１と、天面部１２と、背面部１３とで基礎ブロック１０の空洞部１７が形成されている。
【００２１】
天面部１２は、前面部１１の上方縁部から水平に延びる上面１２ａと、前記上面１２ａに連続するテーパ面１２ｂと、テーパ面１２ｂの後方縁部に長手方向に沿って突設した位置決め用突条１２ｃと、から構成されている。テーパ面１２ｂには空洞部１７に連通する第１開口部１４が設けられ、前記第１開口部１４は、基礎ブロック１０の空洞部１７に生コンクリートを打設できる。
【００２２】
背面部１３には、その下方縁部に２つの第２開口部１５が設けられると共に、３つのインサートナット１６が所定のピッチで埋設されている。
【００２３】
第２開口部１５は、背面部１３の下方縁部に、例えば高さＬ２が１５０ｍｍ、幅Ｌ３が３９９ｍｍの矩形に形成される。この第２開口部１５を介して、基礎ブロック１０の空洞部１７内外の生コンクリートを一体に固めることができる。
【００２４】
また、背面部１３に埋設された螺合手段であるインサートナット１６は、後述する保持手段であるセパレータ２６の一端部に螺合する（図２）。
【００２５】
次に、以上の構成からなる基礎ブロック１０を用いた２つの施工方法を示す。
すなわち、第１の施工方法は、図２（Ｂ）に示すように、最初のコンクリート打ちで基礎ブロック１０のテーパ面１２ｂと略平行に第１コンクリート層３１の表面を形成する施工方法である。
【００２６】
また、第２の施工方法は、図４（Ｂ）に示すように、最初のコンクリート打ちで第２開口部１５と同一の高さを有する第１コンクリート層４１を形成する施工方法である。
【００２７】
第１の施工方法は、図２（Ａ）に示すように、基礎地盤２５の上に基礎ブロック１０を設置する。ついで、基礎ブロック１０の背面部１３に埋設したインサートナット１６に、セパレータ２６の一端部を螺合し、水平方向に位置決めする。一方、前記セパレータ２６の他端部を、フォームタイ（図示せず）を介して木製型枠２７に固定し、基礎ブロック１０の背面部１３からセパレータ２６を介し所定の距離を確保しつつ、木製型枠２７を基礎ブロック１０と対向するように配設する。ここで、セパレータ２６は、基礎ブロック１０と木製型枠２７との対向距離を保持するために使用されるものであり、金属棒から構成されている。
【００２８】
そして、図２（Ｂ）に示すように、基礎ブロック１０の第１開口部１４から生コンクリートを打設すると共に、基礎ブロック１０の背面部１３と木製型枠２７との間に生コンクリートを打設する。このため、基礎ブロック１０の空洞部１７に打設された生コンクリートと、基礎地盤２５に直接、打設された生コンクリートとが第２開口部１５を介して一体化し、第１コンクリート層３１を形成する。第１コンクリート層３１の表面は、基礎ブロック１０のテーパ面１２ｂと略平行となるように施工する。
【００２９】
第１コンクリート層３１が固まった後、セパレータ２６を第１コンクリート層３１内に残し、木製型枠２７を取り外す。そして、基礎ブロック１０のテーパ面１２ｂ上に、図１２に示すように、根石５０及び積上ブロック６０を載置する。
【００３０】
ここで、積上ブロックの一種である根石５０は、図８及び図９に示すように、表面に装飾面を有する表層部５１と、表層部５１を取り付ける基部５２と、から構成されている。図８（Ａ）に示すように、表層部５１は台形形状に形成されている。また、図８（Ｂ）に示すように、表層部５１の背面部には基部５２が配設されている。そして、前記基部５２は表層部５１を取り付ける取付部５３と、取付部５３の片側から後方に延びる延伸部５４と、延伸部５４の後端に設けられた支持部５５と、から構成されている。更に、図９に示すように、延伸部５４の下方縁部には湾曲部５６が形成されている。ただし、根石５０を配設する環境に合わせて、表面に装飾面を有しない表層部５１も採用し得る。
【００３１】
また、積上ブロック６０は、図１０及び図１１に示すように、表面に装飾面を有する表層部６１と、表層部６１を取り付ける基部６２と、から構成されている。図１０（Ａ）に示すように、表層部６１は横に長い長方形形状に形成されている。また、図１０（Ｂ）に示すように、表層部６１の背面部に設けられた基部６２は表層部６１を取り付ける取付部６３と、取付部６３の片側から後方に延びる支持部６４と、で略Ｌ字形状に構成されている。そして、図１１（Ａ）に示すように、支持部６４は長方形断面である。更に、図１１（Ｂ）に示すように、支持部６４の上方縁部には湾曲部６５が形成され、下方縁部には湾曲部６６が形成されている。ただし、積上ブロック６０を配設する環境に合わせて、表面に装飾面を有しない表層部６１も採用し得る。
【００３２】
以上のように構成された根石５０の斜辺５１ａを、図１２（Ａ）に示すように、基礎ブロック１０のテーパ面１２ｂ上に載置し、前記根石５０を位置決め用突条１２ａに当接させて位置決めする。ついで、根石５０の上に積上ブロック６０を、図１２（Ｂ）に示すように斜めに積み上げる。
【００３３】
続いて、図３（Ａ）に示すように、テーパ面１２ｂ上に配置した根石５０と積上ブロック６０との後方、かつ、第１コンクリート層３１の上面に生コンクリートを打設して、第２コンクリート層３２を形成する。第２コンクリート層３２の表面は、積上ブロック６０の端部に合わせて水平に施工する。
【００３４】
更に、図３（Ｂ）に示すように積上ブロック６０の上方に他の積上ブロック６０を積み上げると共に、積上ブロック６０の後方、かつ、第２コンクリート層３２の上面に生コンクリートを打設し、第３コンクリート層３３を形成する。以後、前述の作業を所望の高さまで順次繰り返し、宅地造成用擁壁を構成する。
【００３５】
以上のように、基礎ブロック１０を用いて擁壁を施工できるので、基礎となるコンクリートを打設する作業を省略でき、作業期間を短縮できる。
【００３６】
また、一体に設けられた基礎ブロック１０を用いるので、現場で多数の構成部品を組み立てる手間を省くことができる。
【００３７】
更に、基礎ブロック１０の空洞部１７に打設された生コンクリートと、基礎ブロック１０の背面部１３と木製型枠２７との間に打設された生コンクリートとが、第２開口部１５を介し、一体な第１コンクリート層３１を形成するので、基礎構造全体の強度が向上する。
【００３８】
そして、金属製のセパレータ２６を第１コンクリート層３１内に残留させているので、第１コンクリート層３１の強度が高い。
【００３９】
基礎ブロック１０の背面部１３に設けたインサートナット１６にセパレータ２６の一端部を螺合し、セパレータ２６の長さを調整することにより、現場に合わせて基礎ブロック１０と木製型枠２７との間の距離を正確、かつ、簡単に設定できる。これにより、施工性が向上すると共に、施工に熟練を必要としない基礎ブロック１０が得られる。
【００４０】
生コンクリートが基礎ブロック１０の空洞部１７内を充填して第１コンクリート層３１を形成するので、外部から、基礎ブロック１０の空洞部１７内に生コンクリートが充填されたことを確認できる。従って、欠陥のない、頑丈な基礎を確実に作ることができる。
【００４１】
第２の施工方法として、図４（Ａ）に示すように、第１開口部１４、および基礎地盤２５の上に配設した基礎ブロック１０の背面部１３と木製型枠２７との間に、生コンクリートを打設する。これにより、図４（Ｂ）に示すように、第２開口部１５を介し、空洞部１７内の生コンクリートと、基礎ブロック１０と空洞部１７との間の生コンクリートとが一体に第１コンクリート層４１を形成する。
【００４２】
第１コンクリート層４１が固まった後、セパレータ２６を第１コンクリート層４１に残し、木製型枠２７を取り外す。次に、図５（Ａ）に示すように基礎ブロック１０のテーパ面１２ｂ上に、根石５０を位置決め用突条１２ｃに位置決めして配置し、更に、根石５０の上に積上ブロック６０を積み上げる。そして、根石５０と積上ブロック６０との隙間から第１開口部１４を介して、生コンクリートを基礎ブロック１０の空洞部１７内に充填し、第２コンクリート層４２を形成する。また、積上ブロック６０の後方、かつ第１コンクリート層４１の上面に生コンクリートを打設して第２コンクリート層４２を形成する。
【００４３】
積上ブロック６０の上方に更に、他の積上ブロック６０を配設して、積上ブロック６０の後方、かつ第２コンクリート層４２の上面に生コンクリートを打設して、第３コンクリート層４３を形成する。以後、前述の作業を所望の高さまで順次繰り返すことで、ブロック積みの擁壁を構成する。
【００４４】
この施工方法によれば、第１コンクリート層４１の表面を水平に施工するので、第１施工方法よりも施工が容易である。
【００４５】
また、第２開口部１５を介し、基礎ブロック１０から木製型枠２７まで一体な第１コンクリート層４１を形成するので、基礎ブロック１０を正確、かつ、確実に位置決めできる。
【００４６】
ここで、基礎ブロック１０の形状に関しては前記形状に限定されず、図６に示す第２実施形態に係る基礎ブロック１０のように低い、例えば、高さＬ４が４００ｍｍであり、第２開口部１５の高さＬ６が１００ｍｍであってもよい。
【００４７】
更に、図７に示す第３実施形態に係る基礎ブロック１０のように高い、例えば、高さＬ５が８００ｍｍであっても、同様の効果が得られる。
【００４８】
第２開口部１５に関しては基礎ブロック１０の強度を確保でき、生コンクリートが通過できる限り形状、寸法は特に限定されない。例えば矩形に代わって半円であってもよい。
【００４９】
施工方法に関しては、前記第１及び第２施工方法では、基礎ブロック１０のテーパ面１２ｂ上に、根石５０を配置し、更に、根石５０の上に積上ブロック６０を積み上げた後、生コンクリートを打設し、第２コンクリート層３２、４２を形成した。ただし、現場で必要とされる高さに合わせて、積上ブロック６０を積み上げずに、根石５０のみを基礎ブロック１０の上方に設置し、前記根石５０の後方に生コンクリートを打設する施工方法も採用し得る。
【００５０】
根石５０及び積上ブロック６０に関しては、強度や施工性が確保される限り、前記形状に限定されない。
【００５１】
例えば、根石５０は図１３に示すように、表面に装飾面を有する表層部５１と、表層部５１を取り付ける基部５２と、から構成されてもよい。図１３（Ａ）に示すように、表層部５１は五角形形状に形成されている。また、図１３（Ｂ）に示すように、基部５２は表層部５１を取り付ける取付部５３と、取付部５３から後方に延び、湾曲部５６が形成された延伸部５４と、から構成されている。
【００５２】
積上ブロック６０は、図１４に示すように、表面に装飾面を有する表層部６１と、表層部６１を取り付ける基部６２と、から構成されてもよい。図１４（Ａ）に示すように、表層部６１は横に長い長方形形状に形成されている。また、図１４（Ｂ）に示すように、基部６２は表層部６１を取り付ける取付部６３と、取付部６３から後方に延びる支持部６４と、から構成されている。
【００５３】
以上のように構成された根石５０を、基礎ブロック１０のテーパ面１２ｂ上に載置し、根石５０を位置決め用突条１２ａに当接させて位置決めする。ついで、根石５０の上に積上ブロック６０を、図１５に示すように斜めに積み上げる。ただし、現場で必要とされる高さに合わせて、積上ブロック６０を積み上げずに、根石５０のみを基礎ブロック１０のテーパ面１２ｂ上に設置する構成も採用し得る。
【００５４】
他の例として、根石５０は図１６に示すように、表面に装飾面を有する表層部５１と、表層部５１を取り付ける基部５２と、から構成されてもよい。図１６（Ａ）に示すように、表層部５１は五角形形状に形成されている。また、図１６（Ｂ）に示すように、基部５２は表層部５１を取り付ける取付部５３と、取付部５３から後方に延びる延伸部５４と、延伸部５４の端部に設けられた支持部５５と、から構成されている。
【００５５】
積上ブロック６０は、図１７に示すように、表面に装飾面を有する表層部６１と、表層部６１を取り付ける基部６２と、から構成されてもよい。図１７（Ａ）に示すように、表層部６１は横に長い長方形形状に形成されている。また、図１７（Ｂ）に示すように、基部６２は表層部６１を取り付ける取付部６３と、取付部６３から後方に延び、両側面に湾曲部６５が形成された支持部６４と、から構成されている。更に、図１７（Ｃ）に示すように支持部６４の下方縁部には湾曲部６６が形成されている。
【００５６】
以上のように構成された根石５０を、基礎ブロック１０のテーパ面１２ｂ上に載置し、根石５０を位置決め用突条１２ａに当接させて位置決めする。ついで、根石５０の上に積上ブロック６０を、図１８に示すように斜めに積み上げる。ただし、現場で必要とされる高さに合わせて、積上ブロック６０を積み上げずに、根石５０のみを基礎ブロック１０のテーパ面１２ｂ上に設置する構成も採用し得る。
【産業上の利用可能性】
【００５７】
本発明に係る基礎ブロックは宅地造成に限らず、土木工事用擁壁の基礎工事にも適用できる。
【図面の簡単な説明】
【００５８】
【図１】図Ａは本発明の第１実施形態に係る基礎ブロックの側面図、図Ｂはその背面図、図Ｃはその上面図。
【図２】図１で示した基礎ブロックを用いた施工方法を説明するための工程図であり、図Ａは基礎地盤の上に基礎ブロックと木製型枠とを設置した状態を示す断面図、図Ｂは第１コンクリート層を形成した状態を示す断面図。
【図３】図２に続く工程図であり、図Ａは積上ブロックを設置すると共に第２コンクリート層を形成した状態を示す断面図、図Ｂは積上ブロックを更に設置すると共に第３コンクリート層を形成した状態を示す断面図。
【図４】図１で示した基礎ブロックを用いた他の施工方法を説明するための工程図であり、図Ａは基礎地盤の上に基礎ブロックと木製型枠とを設置した状態を示す断面図、図Ｂは第１コンクリート層を形成した状態を示す断面図。
【図５】図４に続く工程図であり、図Ａは積上ブロックを設置すると共に第２コンクリート層を形成した状態を示す断面図、図Ｂは積上ブロックを更に設置すると共に第３コンクリート層を形成した状態を示す断面図。
【図６】図Ａは本発明の第２実施形態に係る基礎ブロックの側面図、図Ｂはその背面図、図Ｃはその上面図。
【図７】図Ａは本発明の第３実施形態に係る基礎ブロックの側面図、図Ｂはその背面図、図Ｃはその上面図。
【図８】図Ａは根石の正面図、図Ｂはその平面図。
【図９】図８の根石の側面図。
【図１０】図Ａは積上ブロックの正面図、図Ｂはその平面図。
【図１１】図Ａは図１０の積上ブロックの背面図、図Ｂはその側面図。
【図１２】図Ａは根石を配置した状態を示す正面図、図Ｂは根石の上に積上ブロックを配置した状態を示す正面図。
【図１３】図Ａは他の実施形態に係る根石の正面図、図Ｂはその平面図、図Ｃはその側面図。
【図１４】図Ａは他の実施形態に係る積上ブロックの正面図、図Ｂはその平面図、図Ｃはその側面図。
【図１５】図１３の根石の上に図１４の積上ブロックを配置した状態を示す正面図。
【図１６】図Ａは更に他の実施形態に係る根石の正面図、図Ｂはその平面図、図Ｃはその側面図。
【図１７】図Ａは更に他の実施形態に係る積上ブロックの正面図、図Ｂはその平面図、図Ｃはその側面図。
【図１８】図１６の根石の上に図１７の積上ブロックを配置した状態を示す正面図。
【符号の説明】
【００５９】
１０  基礎ブロック
１１  前面部
１２  天面部
１２ａ  上面
１２ｂ  テーパ面
１３  背面部
１４  第１開口部
１５  第２開口部
１６  インサートナット（螺合手段）
１７  空洞部
２５  基礎地盤
２６  セパレータ（保持手段）
２７  木製型枠
３１  第１コンクリート層（第１施工方法）
３２  第２コンクリート層（第１施工方法）
３３  第３コンクリート層（第１施工方法）
４１  第１コンクリート層（第２施工方法）
４２  第２コンクリート層（第２施工方法）
４３  第３コンクリート層（第２施工方法）
６０  積上ブロック
【図１】
2010024740.tif 000003
【図２】
2010024740.tif 000004
【図３】
2010024740.tif 000005
【図４】
2010024740.tif 000006
【図５】
2010024740.tif 000007
【図６】
2010024740.tif 000008
【図７】
2010024740.tif 000009
【図８】
2010024740.tif 000010
【図９】
2010024740.tif 000011
【図１０】
2010024740.tif 000012
【図１１】
2010024740.tif 000013
【図１２】
2010024740.tif 000014
【図１３】
2010024740.tif 000015
【図１４】
2010024740.tif 000016
【図１５】
2010024740.tif 000017
【図１６】
2010024740.tif 000018
【図１７】
2010024740.tif 000019
【図１８】
2010024740.tif 000020